(57)【要約】【課題】ロースターユニットの交換を容易にし、輸送落下強度を向上すること。【解決手段】ロースターユニット１３前方上部の固定金具２５を前支持金具１８に前方より固定し、ロースターユニット１３後部をたおして外郭１７底面と固定したことにより、本体外郭１７を分解せずに、本体前面開口部にロースターユニット１３をさしこみ固定を確実におこない、ロースターユニット１３の交換を容易にし、輸送落下強度を向上することができる。【選択図】図１
2007273128.tif 000002
【特許請求の範囲】
【請求項１】
天板部と、前記天板部の下方に並設された複数の加熱部と、前記加熱部の下部に位置するロースターユニットと、前記ロースターユニットと並設する位置にあって前記加熱部および前記ロースターユニットを駆動する基板ユニットと、前記加熱部を支持し前記ロースターユニットおよび前記基板ユニットのそれぞれの上に位置する複数の並設した支持板と、前記各構成部品を内蔵する後部および底面と左右側面を構成する外郭と、前記外郭前部の上方に前記外郭の左右側面を固定する前支持金具を設け、前記外郭と前支持金具に固定され前記ロースターユニットと前記基板ユニットとを仕切る仕切板を備え、前記外郭と前記前支持金具と前記仕切板で形成された前方部の開口部をふさぐように、前記ロースターユニットの前面開口部をはめこむ前面開口部と略同形状のフランジ穴を有する前板を固定し、前記ロースターユニット前方上部に固定した固定金具を設け、前記ロースターユニット前面開口部を前板のフランジ穴に差込固定し、前記ロースターユニット前方上部の前記固定金具を前記前支持金具に前方より固定し、前記ロースターユニット後部をたおして前記外郭底面と固定した誘導加熱調理器。
【請求項２】
固定金具の一部に熱きり穴を設けた請求項１記載の誘導加熱調理器。
【請求項３】
固定金具に絞り形状を形成した請求項１記載の誘導加熱調理器。
【請求項４】
固定金具は板厚が薄い材料を用いた請求項３記載の誘導加熱調理器。
【請求項５】
前支持金具に本体内側向きに位置決めリブを設け、固定金具に前記前支持金具の前記位置決めリブに対応する位置に位置決め穴を設けた請求項１記載の誘導加熱調理器。
【請求項６】
位置決めリブは、先端が根元より幅が狭い縦リブで、位置決め穴は、長手方向の端部のみリブ根元より広く微小隙間を設けた穴とした請求項５記載の誘導加熱調理器。
【請求項７】
位置決めリブは、内径が穴となる略円形リブで、前記内径は同一面にあるねじ径よりも大きい径とし、位置決め穴は、前記略円形リブより広く微小隙間を設けた穴とした請求項５記載の誘導加熱調理器。
【発明の詳細な説明】
【技術分野】
【０００１】
本発明は、誘導加熱調理器に関するものである。
【背景技術】
【０００２】
従来、この種の誘導加熱調理器としては、例えば、特許文献１に記載されているようなものがあった。
【０００３】
図７は、特許文献１に記載された従来の誘導加熱調理器を示すものである。図７に示すように、鍋を載せ加熱調理を行う天板部１、天板部１に設けられた複数の加熱部２、魚焼き調理等を行う上下にヒーターを有する両面焼きのロースターユニット３、加熱部２を駆動させる基板４、基板４を支持する基板ベース５、基板４と基板ベース５を合わせた基板ユニット６、ロースターユニット３上の加熱部２を支持している支持板Ａ７、基板ユニット６上の加熱部２を支持する支持板Ｂ８、構成部品を内蔵している外郭９、外郭９の内部でロースターユニット３と基板ユニット６を仕切る仕切板１０は、ロースターユニット３と基板ユニット６の間に入れられている。構成としては、外郭９の中央近くに仕切板１０が固定され、その左側にロースターユニット３をその右側に基板４と基板ベース５を含めた基板ユニット６を固定している。そしてロースターユニット３の上方には支持板Ａ７があり、外郭９の左側と仕切板１０上方のフランジ部とで固定され、また基板ユニット６の上方には支持板Ｂ８があり、外郭９の右側と仕切板１０の上方のフランジ部とで固定されている。それぞれ支持板Ａ７及び支持板Ｂ８上には加熱部２が支持されており、お互いに独立して着脱自在となるように固定されている。本体内のロースターユニット３や基板４を交換する際には、まずロースターユニット３であるが、本体を設置した状態で天板部１を取り外し、そして加熱部２を取り外す。その次に外郭９と仕切板１０に固定されている支持板Ａ７を取り外す。それだけを外せばロースターユニット３が現われ、簡単に取り外して交換することができる。次に基板ユニット６であるが、本体を設置した状態で天板部１を取り外し、そして加熱部２を取り外す。それから外郭９と仕切板１０に固定されている支持板Ｂ８を取り外す。すると、基板ユニット６が現われるため、簡単に基板ユニット６を取り外すことができる。つまり、ロースターユニット３、基板ユニット６上にある支持板Ａ７、支持板Ｂ８は夫々独立して着脱自在となるように仕切板１０上で固定されているために、夫々単独で取り外しをすることができる。よって、ロースターユニット３だけを取り外すのに、支持板Ｂ８まであるいは、基板ユニット６まで取り外さなければならないということはなく、本体を設置した状態において、必要最小限の取り外しで夫々交換することができるので、簡単に短い時間で部品を交換できるＣＳ性の良い機器を提供することができる。
【０００４】
また、従来この形態の誘導加熱調理器のロースターユニット３は、本体を設置した状態において、必要最小限の取り外しで夫々交換することができるので、簡単に短い時間で部品を交換できるように、前方を固定することなく、後部のみ外郭と固定する構成をとっていた。
【特許文献１】特許第３４５６１８４号公報
【発明の開示】
【発明が解決しようとする課題】
【０００５】
しかしながら、前記従来の構成では、本体外郭を分解せずに、特にロースターユニット前面を本体前開口部にさしこみ、ねじなどで固定を確実にすることは困難であった。そのため、製品梱包状態で、輸送の際、誤って落下したときに、固定されていないロースターユニットの前面部がおおきく振れて変形してしまうという問題点を有していた。
【０００６】
本発明は、前記従来の課題を解決するもので、本体外郭を分解せずに、本体前開口部にロースターユニットをさしこみ固定を確実におこない、ロースターユニットの交換を容易にし、輸送落下強度を向上することができる誘導加熱調理器を提供することを目的とする。
【課題を解決するための手段】
【０００７】
前記従来の課題を解決するために、本発明の誘導加熱調理器は、ロースターユニット前方上部に固定した固定金具を設け、ロースターユニット前面開口部を前板のフランジ穴に差込固定し、ロースターユニット前方上部の固定金具を前支持金具に前方より固定し、ロースターユニット後部をたおして外郭底面と固定した構成としたものである。
【０００８】
これによって、本体外郭を分解せずに、本体前開口部にロースターユニットをさしこみ固定を確実におこない、ロースターユニットの交換を容易にし、輸送落下強度を向上することができる。
【発明の効果】
【０００９】
本発明の誘導加熱調理器は、ロースターユニットの交換を容易にし、輸送落下強度を向上することができる。
【発明を実施するための最良の形態】
【００１０】
第１の発明は、天板部と、前記天板部の下方に並設された複数の加熱部と、前記加熱部の下部に位置するロースターユニットと、前記ロースターユニットと並設する位置にあって前記加熱部および前記ロースターユニットを駆動する基板ユニットと、前記加熱部を支持し前記ロースターユニットおよび前記基板ユニットのそれぞれの上に位置する複数の並設した支持板と、前記各構成部品を内蔵する後部および底面と左右側面を構成する外郭と、前記外郭前部の上方に前記外郭の左右側面を固定する前支持金具を設け、前記外郭と前記前支持金具に固定され前記ロースターユニットと前記基板ユニットとを仕切る仕切板を備え、前記外郭と前記前支持金具と前記仕切板で形成された前方部の開口部をふさぐように、前記ロースターユニットの前面開口部をはめこむ前面開口部と略同形状のフランジ穴を有する前板を固定し、前記ロースターユニット前方上部に固定した固定金具を設け、前記ロースターユニット前面開口部を前板のフランジ穴に差込固定し、前記ロースターユニット前方上部の前記固定金具を前記前支持金具に前方より固定し、前記ロースターユニット後部をたおして前記外郭底面と固定したことにより、本体外郭を分解せずに、本体前開口部にロースターユニットをさしこみ固定を確実におこない、ロースターユニットの交換を容易にし、輸送落下強度を向上することができる。
【００１１】
第２の発明は、特に第１の発明の固定金具の一部に熱きり穴を設けたことにより、ロースターユニット使用時にロースターユニット前方上部固定している固定金具から前支持金具への熱伝導を低減し、外郭である前支持金具の温度上昇を抑えることができる。
【００１２】
第３の発明は、特に第１の発明の固定金具にしぼり形状を形成したことにより、接触部が減り、ロースターユニット使用時にロースターユニット前方上部固定している固定金具から前支持金具への熱伝導を低減し、外郭である前支持金具の温度上昇を抑えることができる。また、固定金具自身が、しぼり形状により補強され、強度を増し、輸送落下強度を向上することができる。
【００１３】
第４の発明は、特に第３の発明の固定金具は板厚が薄い材料を用いることにより、ロースターユニット使用時にロースターユニット前方上部固定している固定金具から前支持金具への熱伝導を低減し、外郭である前支持金具の温度上昇を抑えることができる。また、薄いのでしぼりなど加工性を良化することができる。
【００１４】
第５の発明は、特に第１の発明の前支持金具に本体内側向きに位置決めリブを設け、固定金具に前記前支持金具の前記位置決めリブに対応する位置に位置決め穴を設けたことにより、ロースターユニットを組み込む際、前支持金具の位置決めリブに固定金具の位置決め穴をあわせることで、固定金具がセットされたロースターユニットの位置決めができ、ロースターユニットの交換を容易に行うことができる。
【００１５】
第６の発明は、特に第５の発明の位置決めリブは、先端が根元より幅が狭い縦リブで、位置決め穴は、長手方向の端部のみリブ根元より広く微小隙間を設けた穴としたことにより、位置決めリブの先端と根元の幅の差が、ロースターユニットを前に傾けて挿入するのを助け、ロースターユニット前方上部の固定金具の位置決め穴を前支持金具の位置決めリブに誘い込み、位置決めリブ根元で位置を固定し、ロースターユニット後部を後ろへ回転させてたおし、本体外郭にセットすることを容易に行うことができるとともに、位置をより正確にセットすることができる。
【００１６】
第７の発明は、特に第５の発明の位置決めリブは、内径が穴となる略円形リブで、前記内径は同一面にあるねじ径よりも大きい径とし、位置決め穴は、前記略円形リブより広く微小隙間を設けた穴としたことにより、ロースターユニット前方上部の固定金具の位置決め穴を前支持金具の位置決めリブに誘い込み、位置決めリブで位置を固定し、ロースターユニット後部を後ろへ回転させてたおし、本体外郭にセットすることを容易に行うことができるとともに、位置をより正確にセットすることができる。また、前支持金具の内径が穴となる略円形リブで、前記内径は同一面にあるねじ径よりも大きい径としたことで、誤ってねじを略円形リブに締めることがなく、誤組防止を可能とすることができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における誘導加熱調理器の内部の構成を示す縦断面図、図２は、本発明の第１の実施の形態における誘導加熱調理器の内部の構成を示す斜視図、図３は、本発明の第１の実施の形態における誘導加熱調理器の固定金具と前支持金具の概略図、図４は、本発明の第１の実施の形態における誘導加熱調理器のロースターユニットをセットする状態を示す断面図、図５は、本発明の第１の実施の形態における誘導加熱調理器の内部の構成を示す横断面図である。
【００１９】
この誘導加熱調理器はシステムキッチンのキャビネットに組み込んで使用する構成のものである。
【００２０】
図１および図２、図３、図４、図５において、天板部１１と、天板部１１の下方に並設された複数の加熱部１２と、加熱部１２の下部に位置するロースターユニット１３と、ロースターユニット１３と並設する位置にあって加熱部１２およびロースターユニット１３を駆動する基板ユニット１４と、加熱部１２を支持しロースターユニット１３の上に位置する支持板Ａ１５および基板ユニットの上に位置する支持板Ｂ１６と、前記各構成部品を内蔵する後部および底面と左右側面を構成する外郭１７と、外郭前部の上方に外郭の左右側面を固定する前支持金具１８を設け、外郭１７と前支持金具１８に固定されロースターユニット１３と基板ユニット１４とを仕切る仕切板１９を備え、外郭１７と前支持金具１８と仕切板１９で形成された前方部の開口部をふさぐように、ロースターユニット１３の前面開口部２０をはめこむ前面開口部２０と略同形状のフランジ穴２１を有する前板２２を固定する。
【００２１】
ここで、前支持金具１８に本体内側向きに位置決めリブ２３があり、位置決めリブ２３は、図３のＢ部詳細に図示しているように、先端が根元より幅が狭い縦リブである。
【００２２】
また、ロースターユニット前方上部にねじＡ２４で固定金具２５を固定する。
【００２３】
固定金具２５には前支持金具１８の位置決めリブ２３に対応する位置に位置決め穴２６が設けてあり、その位置決め穴２６は、図３のＢ部詳細に図示しているように、略ひし形で、長手方向の端部のみリブ根元より広く微小隙間を両側で約０．５ｍｍ設けた穴である。またさらに、固定金具２５には一部熱きり穴２７がり、材料は板厚０．６ｍｍの薄い溶融亜鉛めっき鋼板を使用しており、しぼり形状２８を形成している。
【００２４】
そして、ロースターユニット１３を前に傾けて外郭１７と前支持金具１８の間に挿入し、ロースターユニット１３前方上部の固定金具２５の位置決め穴２６を前支持金具１８の位置決めリブ２３に誘い込み、位置決めリブ２３根元で位置を固定し、ロースターユニット１３後部を後ろへ回転させてたおし、ロースターユニット１３前面開口部を前板のフランジ穴２１に差込固定し、ロースターユニット１３前方上部の固定金具２５を前支持金具１８に前方よりねじＢ２９で固定し、ロースターユニット１３後部を外郭１７底面とねじＣ３０で固定している。
【００２５】
ここで、ロースターユニット１３は、それ自身で落下に耐えうる十分な剛性を有するよう配慮され、ねじ固定や、構成がなされている。
【００２６】
以上のように構成された誘導加熱調理器について、以下動作、作用を説明する。
【００２７】
本体内のロースターユニット１３や基板１４を交換する際には、まずロースターユニット１３であるが、本体を設置した状態で、前支持金具１８に前方よりロースターユニット１３前方上部の固定金具２５を固定したねじＢ２９を外す。そして天板部１１を取り外し、加熱部１２を取り外す。その次に外郭１７と仕切板１９に固定されている支持板Ａ１５を取り外す。それだけを外せばロースターユニット１３が現われ、最後にロースターユニット１３後部と外郭底面を固定しているねじＣ３０を外し、ロースターユニット１３後部を回転させて持ち上げながら、上に引き抜くことで、簡単にロースターユニット１３を取り外すことができる。
【００２８】
次に、新しくセットする際ロースターユニット１３を前に傾けて外郭１７と前支持金具１８の間に挿入し、図４のＡ部拡大で図示するようにロースターユニット１３前方上部の固定金具２５の位置決め穴２６を前支持金具１８の位置決めリブ２３に誘い込み、位置決めリブ２３根元で位置を固定し、ロースターユニット１３後部を後ろへ回転させてたおし、ロースターユニット１３前面開口部を前板のフランジ穴２１に差込固定し、ロースターユニット１３前方上部の固定金具２５を前支持金具１８に前方よりねじＢ２９で固定し、ロースターユニット１３後部を外郭１７底面とねじＣ３０で固定して、容易に交換することができる。
【００２９】
ここで、前支持金具１８に本体内側向きに位置決めリブ２３があり、位置決めリブ２３は、図３のＢ部詳細に図示しているように、先端が根元より幅が狭い縦リブである。
【００３０】
また、ロースターユニット１３前方上部にねじＡ２４で固定金具２５を固定する。
【００３１】
固定金具２５には前支持金具１８の位置決めリブ２３に対応する位置に位置決め穴２６が設けてあり、その位置決め穴２６は、略ひし形で、長手方向の端部のみリブ根元より広く微小隙間を両側で約０．５ｍｍ設けた穴である。
【００３２】
したがって、前支持金具１８に本体内側向きに位置決めリブ２３を設け、固定金具２５に前支持金具１８の位置決めリブ２３に対応する位置に位置決め穴２６を設けたことにより、ロースターユニット１３を組み込む際、前支持金具１８の位置決めリブ２３に固定金具２５の位置決め穴２６をあわせることで、固定金具２５がセットされたロースターユニット１３の位置決めができ、ロースターユニット１３の交換を容易に行うことができる。
【００３３】
また、位置決めリブ２３は、先端が根元より幅が狭い縦リブで、位置決め穴２６は、長手方向の端部のみリブ根元より広く微小隙間を設けた穴としたことにより、位置決めリブ２３の先端と根元の幅の差が、ロースターユニット１３を前に傾けて挿入するのを助け、ロースターユニット１３前方上部の固定金具２５の位置決め穴２６を前支持金具１８の位置決めリブ２３に誘い込み、位置決めリブ２３根元で位置を固定し、ロースターユニット１３後部を後ろへ回転させてたおし、本体外郭にセットすることを容易に行うことができるとともに、位置をより正確にセットすることができる。
【００３４】
次に基板ユニット１４であるが、本体を設置した状態で天板部１１を取り外し、そして加熱部１２を取り外す。それから外郭１７と仕切板１９に固定されている支持板Ｂ１６を取り外す。すると、基板ユニット１４が現われるため、簡単に基板ユニット１４を取り外すことができる。つまり、ロースターユニット１３、基板ユニット１４上にある支持板Ａ１５、支持板Ｂ１６は夫々独立して着脱自在となるように仕切板１９上で固定されているために、夫々単独で取り外しをすることができる。よって、ロースターユニット１３だけを取り外すのに、支持板Ｂ１６まであるいは、基板ユニット１４まで取り外さなければならないということはなく、本体を設置した状態において、必要最小限の取り外しで夫々交換することができるので、簡単に短い時間で部品を交換することができる。
【００３５】
また、製品梱包状態で、輸送の際、誤って落下されたときにロースターユニット１３はねじＣ３０で後部を外郭１７底面と固定され、前方をねじＢ２９で前支持金具１８と固定金具２５を介して固定されており、ロースターユニット１３が本体外郭１７内で振れるのを低減することができる。
【００３６】
とくに、前方をねじＢ２９で前支持金具１８と固定金具２５を介してロースターユニット１３が固定されて差がおおきく現れるのが、ロースターユニット１３前面開口部２０が差込固定されている前板のフランジ穴２１部分である。この部分は差込固定のみであれば、ロースターユニット１３前部にかかる振れをフランジ穴２１が抑えることができず、フランジが変形してしまう。このフランジの部分は、外観であり、顕著に異常がわかり、不良品となる。しかし、本実施の形態のようにロースターユニット１３前方上部の固定金具２５を前支持金具１８に前方より固定していることで、落下された際にロースターユニット１３前部にかかる振れを低減することができ、ロースターユニット１３前面開口部２０が差込固定されている前板のフランジ穴２１部分を変形させることがない。
【００３７】
またさらに、キッチンにセットして、ロースターユニット１３を加熱した際、ロースターユニット１３の上方はロースター加熱により温度が上昇する。この熱は、ロースターユニット１３前方上部に取り付けた固定金具２５に伝わり、さらに固定金具２５と締め付けている前支持金具１８へ熱が伝わることとなる。
【００３８】
ここで、前支持金具１８は、外郭１７の前面であり、用品上１００℃以下に温度をおさえる必要がある。
【００３９】
ここで、移動する熱量は、移動する断面積が多いほどたくさん移動できる（移動する熱量∝断面積）。
【００４０】
したがって、固定金具２５の一部に熱きり穴を設けたことにより、熱が伝わる断面積が減り、熱きり穴より熱の流れの先にある前支持金具１８の温度を低減し、安全性を向上することができる。
【００４１】
また、固定金具２５にしぼり形状を形成し、前支持金具１８と接触させたことにより、接触部が減り、ロースターユニット１３使用時にロースターユニット１３前方上部固定している固定金具２５から前支持金具１８への熱伝導を低減し、外郭１７である前支持金具１８の温度上昇を抑えることができる。また、固定金具２５自身が、しぼり形状により補強され、強度を増し、輸送落下強度を向上することができる。さらに、固定金具２５は板厚が薄い材料を用いることにより、移動する熱量は、移動する断面積が多いほどたくさん移動できる（移動する熱量∝断面積）ので、板厚が薄く断面積が小さい分、ロースターユニット１３使用時にロースターユニット１３前方上部を固定している固定金具２５から前支持金具１８への熱伝導を低減し、外郭１７である前支持金具１８の温度上昇を抑えることができる。また、薄いのでしぼりなど加工性を良化することができる。
【００４２】
ここで、図６は位置決めリブ２３と位置決め穴２６の形状をかえたものである。
【００４３】
図６のＣ部詳細に図示するように、位置決めリブ２３は内径が穴となる略円形リブで、前記内径は同一面にあるねじ径よりも大きい径とし、位置決め穴２６は、略円形リブより広く微小隙間を設けた穴としたことにより、ロースターユニット１３前方上部の固定金具２５の位置決め穴２６を前支持金具１８の位置決めリブ２３に誘い込み、位置決めリブ２３で位置を固定し、ロースターユニット１３後部を後ろへ回転させてたおし、本体外郭１７にセットすることを容易に行うことができるとともに、位置をより正確にセットすることができる。また、前支持金具１８の内径が穴となる略円形リブで、前記内径は同一面にあるねじ径よりも大きい径としたことで、誤ってねじを略円形リブに締めることがなく、誤組防止を可能とすることができる。
【００４４】
以上のように本実施の形態においては、ロースターユニット１３前方上部の固定金具２５を前支持金具１８に前方より固定し、ロースターユニット１３後部をたおして外郭１７底面と固定したことにより、本体外郭１７を分解せずに、本体前開口部にロースターユニット１３をさしこみ固定を確実におこない、ロースターユニット１３の交換を容易にし、輸送落下強度を向上することができる。
【００４５】
また、固定金具２５の一部に熱きり穴を設けたことにより、ロースターユニット１３使用時にロースターユニット１３前方上部固定している固定金具２５から前支持金具１８への熱伝導を低減し、外郭１７である前支持金具１８の温度上昇を抑えることができる。
【００４６】
またさらに、固定金具２５にしぼり形状を形成し、前支持金具１８と接触させたことにより、接触部が減り、ロースターユニット１３使用時にロースターユニット１３前方上部固定している固定金具２５から前支持金具１８への熱伝導を低減し、外郭１７である前支持金具１８の温度上昇を抑えることができる。また、固定金具２５自身が、しぼり形状により補強され、強度を増し、輸送落下強度を向上することができる。
【００４７】
さらに、固定金具２５は板厚が薄い材料を用いることにより、ロースターユニット１３使用時にロースターユニット１３前方上部固定している固定金具２５から前支持金具１８への熱伝導を低減し、外郭１７である前支持金具１８の温度上昇を抑えることができる。また、薄いのでしぼりなど加工性を良化することができる。
【００４８】
そして、前支持金具１８に本体内側向きに位置決めリブ２３を設け、固定金具２５に前支持金具１８の位置決めリブ２３に対応する位置に位置決め穴２６を設けたことにより、ロースターユニットを組み込む際、前支持金具１８の位置決めリブ２３に固定金具２５の位置決め穴２６をあわせることで、固定金具２５がセットされたロースターユニット１３の位置決めができ、ロースターユニット１３の交換を容易に行うことができる。
【００４９】
さらに、位置決めリブ２３は、先端が根元より幅が狭い縦リブで、位置決め穴２６は、長手方向の端部のみリブ根元より広く微小隙間を設けた穴としたことにより、位置決めリブ２３の先端と根元の幅の差が、ロースターユニット１３を前に傾けて挿入するのを助け、ロースターユニット１３前方上部の固定金具２５の位置決め穴２６を前支持金具１８の位置決めリブ２３に誘い込み、位置決めリブ２３根元で位置を固定し、ロースターユニット１３後部を後ろへ回転させてたおし、本体外郭１７にセットすることを容易に行うことができるとともに、位置をより正確にセットすることができる。
【００５０】
そして、位置決めリブ２３は内径が穴となる略円形リブで、前記内径は同一面にあるねじ径よりも大きい径とし、位置決め穴２６は、略円形リブより広く微小隙間を設けた穴としたことにより、ロースターユニット１３前方上部の固定金具２５の位置決め穴２６を前支持金具１８の位置決めリブ２３に誘い込み、位置決めリブ２３で位置を固定し、ロースターユニット１３後部を後ろへ回転させてたおし、本体外郭１７にセットすることを容易に行うことができるとともに、位置をより正確にセットすることができる。また、前支持金具１８の内径が穴となる略円形リブで、前記内径は同一面にあるねじ径よりも大きい径としたことで、誤ってねじを略円形リブに締めることがなく、誤組防止を可能とすることができる。
【産業上の利用可能性】
【００５１】
以上のように、本発明にかかる誘導加熱調理器は本体外郭を分解せずに、本体前開口部にロースターユニットをさしこみ固定を確実におこない、ロースターユニットの交換を容易にし、輸送落下強度を向上することができるので、ロースターユニットを有する誘導加熱調理器および、ロースターユニットを有する複合加熱調理器等の用途にも適用できる。
【図面の簡単な説明】
【００５２】
【図１】本発明の第１の実施の形態における誘導加熱調理器の内部の構成を示す縦断面図
【図２】本発明の第１の実施の形態における誘導加熱調理器の内部の構成を示す斜視図
【図３】本発明の第１の実施の形態における誘導加熱調理器の固定金具と前支持金具の概略図
【図４】本発明の第１の実施の形態における誘導加熱調理器のロースターユニットをセットする状態を示す断面図
【図５】本発明の第１の実施の形態における誘導加熱調理器の内部の構成を示す横断面図
【図６】本発明の第１の実施の形態における他の誘導加熱調理器の固定金具と前支持金具の概略図
【図７】従来の誘導加熱調理器の内部の構成を示す断面図
【符号の説明】
【００５３】
１１  天板部
１２  加熱部
１３  ロースターユニット
１４  基板ユニット
１５  支持板Ａ
１６  支持板Ｂ
１７  外郭
１８  前支持金具
１９  仕切板
２０  前面開口部
２１  フランジ穴
２２  前板
２３  位置決めリブ
２４  ねじＡ
２５  固定金具
２６  位置決め穴
２７  熱きり穴
２８  しぼり形状
２９  ねじＢ
３０  ねじＣ
【図１】
2007273128.tif 000003
【図２】
2007273128.tif 000004
【図３】
2007273128.tif 000005
【図４】
2007273128.tif 000006
【図５】
2007273128.tif 000007
【図６】
2007273128.tif 000008
【図７】
2007273128.tif 000009